(57)【特許請求の範囲】
【請求項１】
矩形状の本体と当該本体の左端側及び右端側それぞれに形成された一対の縦框部とを備えた背面板と、
前記背面板に回動可能に取り付けられ、前記背面板との接続部分を軸として上下方向に回動可能なテーブル板と、
前記縦框部それぞれに個別に設けられ、前記縦框部との接続部分を軸として前後方向に開閉可能な一対の扉と、
を備え、
前記テーブル板は、前記背面板と重なる収納状態と前記背面板から水平に突出した使用状態とに維持可能に前記背面板に取り付けられ、
前記テーブル板を前記収納状態にして前記一対の扉を閉状態とするパネル状態と、前記テーブル板を前記使用状態にして前記一対の扉を開状態とするブース状態とに切替可能であって、
前記一対の扉は、前記ブース状態にあるときに、前記一対の扉によって前記テーブル板の前に存在する人が隠れる大きさを有し、前記パネル状態にあるときに、内側となる扉が前記一対の縦框部の間に収納され、正面視で外側となる扉の裏面のみが見えて一枚の板状となる構成を有し、
前記背面板の前記本体が壁面に固定可能であることを特徴とする作業用ブース。
【請求項２】
前記本体は、前記一対の縦框部それぞれと接する横框部を備えることを特徴とする請求項１に記載の作業用ブース。
【請求項３】
前記一対の扉は、前記パネル状態にあるときに、前記一対の扉どうしが交互に重なる幅を有することを特徴とする請求項１又は請求項２に記載の作業用ブース。
【請求項４】
前記扉及び前記背面板それぞれの、前記テーブル板側の面の少なくとも一部は、吸音材からなることを特徴とする請求項１から請求項３のいずれか一項に記載の作業用ブース。
【請求項５】
前記扉及び前記縦框部の、前記テーブル板側とは逆側の面の少なくとも一部に化粧シートが貼付されていることを特徴とする請求項１から請求項４のいずれか一項に記載の作業用ブース。
【発明の詳細な説明】
【技術分野】
【０００１】
本発明は、作業用ブースに関する。
【背景技術】
【０００２】
近年、働き方改革による、テレワークやリモートワーク等の多様な働き方の推進、また、コロナウィルスの影響等により、自宅やサテライトオフィスでのテレワークが加速している。また、コロナウィルスの影響を受けて、企業によっては、事務所を縮小する傾向にあり、テレワークの比率が増大すると予想される。
ところで、日本の住宅環境においては、テレワークが可能な書斎等のスペースを持っている世帯は少なく、共働き比率も増加するなか、自宅にテレワークブースを作ることは困難である。
【０００３】
市場では、テレワーク用の商品、例えば机、椅子、イヤホン、マイクロホン等が販売されている。しかしながら、外部からの騒音を遮音すること、自らが騒音源として発する音を吸音すること、等、テレワーク中の環境に配慮する商品は少ない。テレワーク中の環境に配慮した家中テレブースとして、ＢＯＸ型等が提案されている。また、テレブースの簡易タイプとしては、テント型等のブース、また、ダンボールを使用した家具、ライティングデスクの様な家具、または収納家具等が提案されている。また、サテライトオフィス用等としてカプセル型（例えば、特許文献１参照）のブース等も提案されている。
【先行技術文献】
【特許文献】
【０００４】
【特許文献１】特許第３２９８４７９号公報
【発明の概要】
【発明が解決しようとする課題】
【０００５】
しかしながら、日本の住宅環境の観点から、置き場所が狭くても配置することができ、且つテレワーク中の作業空間や作業環境を確保することのできる構造物が望まれていた。
そこで、この発明は、上記従来の未解決の課題に着目してなされたものであり、占有面積が小さく且つ良好な作業環境を確保することの可能な作業用ブースを提供することを目的としている。
【課題を解決するための手段】
【０００６】
本発明の一実施形態に係る作業用ブースは、矩形状の本体と当該本体の左端側及び右端側それぞれに形成された一対の縦框部とを備えた背面板と、前記背面板に回動可能に取り付けられ、前記背面板との接続部分を軸として上下方向に回動可能なテーブル板と、前記縦框部それぞれに個別に設けられ、前記縦框部との接続部分を軸として前後方向に開閉可能な一対の扉と、を備え、前記テーブル板は、前記背面板と重なる収納状態と前記背面板から水平に突出した使用状態とに維持可能に前記背面板に取り付けられ、前記テーブル板を前記収納状態にして前記一対の扉を閉状態とするパネル状態と、前記テーブル板を前記使用状態にして前記一対の扉を開状態とするブース状態とに切替可能であって、前記一対の扉は、前記ブース状態にあるときに、前記一対の扉によって前記テーブル板の前に存在する人が隠れる大きさを有し、前記パネル状態にあるときに、内側となる扉が前記一対の縦框部の間に収納され、正面視で外側となる扉の裏面のみが見えて一枚の板状となる構成を有し、前記背面板の前記本体が壁面に固定可能であることを特徴としている。
【発明の効果】
【０００７】
本発明によれば、占有面積が小さく且つ良好な作業環境を確保することの可能な作業用ブースを実現することができる。
【図面の簡単な説明】
【０００８】
【図１】本発明の一実施形態に係る作業用ブースがパネル状態にあるときの一例を示す図であり、（ａ）は正面図、（ｂ）は上面図、（ｃ）は右側面図である。
【図２】（ａ）は、図１（ａ）のＡ−Ａ断面における断面図、（ｂ）は、図１（ａ）のＢ−Ｂ断面における断面図である。
【図３】本発明の一実施形態に係る作業用ブースがブース状態にあるときの一例を示す図であり、（ａ）は正面図、（ｂ）は（ａ）のＣ−Ｃ断面における断面図である。
【図４】吸音材の特性の一例を示す特性図である。
【発明を実施するための形態】
【０００９】
以下に、本発明の実施形態について図面を参照して説明する。
ここで、図面は模式的なものであり、厚みと平面寸法との関係、各厚みの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【００１０】
［構成］
図１〜図３は、本発明に係る作業用ブース１の一例を示す構成図であって、図１及び図２は、パネル状態にあるときの構成を示し、図３は、ブース状態にあるときの構成を示す。図１において、（ａ）は正面図、（ｂ）は上面図、（ｃ）は右側面図である。図２において、（ａ）は、図１（ａ）のＡ−Ａ断面における断面図、（ｂ）は、図１（ａ）のＢ−Ｂ断面における断面図である。図３において、（ａ）は正面図、（ｂ）は、図３（ａ）のＣ−Ｃ断面における断面図である。
【００１１】
作業用ブース１は、背面板２と、左扉５と、右扉６と、テーブル板７と、を備える。
背面板２は、本体２ａと、一対の縦框部３（３ａ、３ｂ）と、一対の横框部４（４ａ、４ｂ）とを備える。本体２ａは、矩形状を有し、本体２ａを壁面にビス等で固定することによって、作業用ブース１が壁面に固定されるようになっている。本体２ａの横幅は、横框部４の長さと同等程度であり、本体２ａの長さは、左扉５及び右扉６の上下方向の長さと同等程度である。なお、本体２ａの長さは、必ずしも、扉５、６の上下方向の長さと同等程度でなくともよく、後述の縦框部３と同等程度の長さであってもよい。
【００１２】
本体２ａには、ブース状態で本体２ａの内側となる面に、吸音材８が貼り付けられている。吸音材８は本体２ａの内側の全面に設けてもよく、例えば、テーブル板７よりも上方の領域のみ等、一部のみに設けてもよく、吸音性及び遮音性の観点から本体２ａの内側の面の少なくとも一部に設けることが好ましい。
【００１３】
図１〜図３に示す作業用ブース１では、本体２ａは、長さ１１９８ｍｍ、幅８４５ｍｍ、厚み１８ｍｍであり、１２ｍｍの合板の表裏に５ｍｍのＭＤＦ（中密度繊維板）を貼り合わせた板材からなる。
縦框部３は、本体２ａの左右両端の本体２ａの表面に、本体２ａに対して縦框部３の幅方向が垂直に突出するように、本体２ａの壁側の面からビス等で固定される。縦框部３は、床から本体２ａの上端までの長さを有する。また、縦框部３は、例えば化粧シートをラッピングすること等によって、意匠性を有し、作業用ブース１の設置場所の環境に則した意匠を有する。図１〜図３に示す作業用ブース１では、縦框部３（３ａ、３ｂ）は、それぞれ長さ１４００ｍｍ、幅９０ｍｍ、厚み２３ｍｍであり、１８ｍｍの合板の、長手方向に伸びる側面に、２．５ｍｍのＭＤＦを貼り合わせた板材からなる。
【００１４】
なお、縦框部３は、背面板２の本体２ａと一体に形成されていてもよい。また、縦框部３は、必ずしも、本体２ａに対して垂直に突出していなくてもよく、左右の扉５、６を取り付けることができ、且つパネル状態にあるときに、一対の縦框部３内に、扉５、６を収納することができればよい。
【００１５】
横框部４は、本体２ａの上下両端に左右方向に設けられ、上側の横框部４ａは背面板２の表面に、背面板２に対して幅方向が垂直に突出し、且つ、横框部４ａの両端の面が一対の縦框部３の内側の面それぞれと接して配置され、本体２ａと横框部４ａとが本体２ａの壁側の面からビス等で固定されると共に、横框部４ａと縦框部３とが縦框部３の外側の面からビス等で固定されている。これにより、上側の横框部４ａの上面と縦框部３ａ、３ｂの上面と本体２ａの上面とが面一に固定される。
【００１６】
同様に、下側の横框部４ｂは本体２ａの表面に、本体２ａに対し幅方向が垂直に突出し、且つ、横框部４ｂの両端の面が一対の縦框部３の内側の面それぞれと接して配置され、本体２ａと横框部４ｂとが本体２ａの壁側の面からビス等で固定されると共に、横框部４ｂと縦框部３とが縦框部３の外側の面からビス等で固定されている。横框部４は、例えば、１８ｍｍの合板の、長手方向に伸びる側面に、２．５ｍｍのＭＤＦを貼り合わせた板材からなる。
【００１７】
横框部４の長さは、テーブル板７の大きさや、遮音性やプライバシーを確保するための扉５、６を収納する観点から、約６００ｍｍ以上を確保することが好ましい。横框部４の長さが６００ｍｍ以下では、テーブル板７を机として用いる際の作業性、つまり、パーソナルコンピュータやマウス等をテーブル板７上に載置した状態での作業性や、扉５、６による遮音性を確保しにくい。ただし、作業用ブース１の設置スペース等を考慮すると、横框部４の長さは１０００ｍｍ以下であることが好ましい。図１〜図３に示す作業用ブース１では、横框部４（４ａ、４ｂ）は、それぞれ長さ８００ｍｍ、幅８７ｍｍ、厚み２３ｍｍであり、１８ｍｍの合板の、長さ方向に平行な側面に、２．５ｍｍのＭＤＦを貼り合わせた板材が用いられる。
【００１８】
図１〜図３に示す作業用ブース１では、縦框部３ａ、３ｂ及び横框部４ａ、４ｂを、本体２ａの四辺に沿うように設けている。そのため、矩形状の本体２ａの、上下の辺同士が近づく方向への変形及び左右の辺同士が近づく方向への変形が抑制されるようになっている。縦框部３及び横框部４を設けることで、背面板２の本体２ａの強度を向上させることができるため、その分、本体２ａをより薄い板材で形成することができる。
なお、ここでは、２本の横框部４ａ、４ｂを設けているが、３本以上の横框部４を設けてもよい。
【００１９】
また、ここでは、縦框部３及び横框部４として、本体２ａとは別の部材を用い、ビス等で、本体２ａに固定する場合について説明したが、縦框部３及び横框部４と本体２ａとを一体に形成してもよい。
また、図１〜図３に示す作業用ブース１では、背面板２の本体２ａと縦框部３とは異なる長さとしているが、本体２ａと縦框部３とは同一の長さであってもよい。
【００２０】
扉５、６は、縦框部３ａ、３ｂそれぞれに取り付けられ、左扉５はインセットタイプのキャッチ付きのスライド蝶番５ａにより一方の縦框部３ａに取り付けられ、右扉６は、全かぶせのキャッチ付きのスライド蝶番６ａにより他方の縦框部３ｂに取り付けられている。左扉５及び右扉６は、扉の大きさに応じて少なくとも２つ以上のスライド蝶番５ａ、６ａによって、それぞれ取り付けられている。キャッチ付のスライド蝶番５ａ、６ａとしては、例えば株式会社ムラコシ精工製のキャッチ付のワンタッチ式スライドヒンジを用いることができる。
このように扉５、６を縦框部３に取り付けることによって、扉５、６は、縦框部３との接続部分であるスライド蝶番５ａ、６ａを軸として左右方向に回動し、扉５、６を閉じると、左扉５は一対の縦框部３間に収まり、右扉６は各縦框部３の本体２ａとは逆側の面に接した状態となる。
【００２１】
扉５、６は、扉５、６が開状態であるブース状態にあるときに、これら扉５、６によってテーブル板７に向かって着席している人が隠れる大きさを有する。扉５、６の幅を大きくするほど、扉５、６の重量は大きくなるが、扉５、６の幅が大きいほど、吸音性、遮音性の向上が期待されると共に、プライバシーの確保をより十分に行うことができる。扉５、６の上下方向の長さは、重量及び使用基材の取り都合（４尺巾）を考慮して、最大１２００ｍｍが望ましい。
扉５、６の設置位置は、利用者がテーブル板７に向かって椅子に着席したときの目線以下に扉５、６の上端が見えると、気が散りやすくなることから、扉５、６の上端が下側の横框部４ｂの上面から１２００ｍｍ以上の位置となるようにすることが好ましい。
【００２２】
図１、図２に示す作業用ブース１では、左扉５は、長さ１１５０ｍｍ、幅８３６ｍｍ、厚み１８ｍｍであり、１２ｍｍの合板の表裏に５ｍｍのＭＤＦを張り合わせた板材からなる。右扉６は、長さ１１５０ｍｍ、幅７５０ｍｍ、厚み１８ｍｍであり、１２ｍｍの合板の表裏に５ｍｍのＭＤＦを張り合わせた板材からなる。左扉５及び右扉６は、上側の横框部４ａの下面から１５０ｍｍ下がった位置及び下側の横框部４ｂの上面から１５０ｍｍ上の位置で、スライド蝶番５ａ、６ａにより縦框部３ａ、３ｂに固定される。
【００２３】
なお、扉５、６の長さは、作業用ブース１内で作業するときの利用者の目線に応じて設定すればよく、例えば、立った状態で作業する場合或いは比較的高い椅子に着席して作業を行う場合には、利用者の目線が扉５、６の上端よりも低くなるように、扉５、６の上端の高さを設定すればよく、また、利用者の目線の位置が比較的高い場合には、扉５、６の下端の位置が比較的高くなるようにしてもよい。
扉５、６にはさらに、使用基材の、パネル状態で内側となる面に、吸音材８が張り付けられている。また、扉５、６の少なくともパネル状態で外側となる面は、例えば、化粧シートをラッピングすること等により意匠性を有し、作業用ブース１の設置場所の環境に則した意匠を持たせるようになっている。
【００２４】
ここで、背面板２及び扉５、６に設けられる吸音材８としては、フェルトタイプのものや再生ポリエステル成形タイプのもの等を用いることができる。フェルトタイプのものとしては、例えば、厚さ９ｍｍ、定型サイズ６００ｍｍ×９００ｍｍ、素材はポリエステル製フェルトであって、印刷可能な不織布により、袋貼り（４方巻き込み）されているもの等がある。また、再生ポリエステル成形タイプのものとしては、例えば、厚さ７ｍｍ，サイズ３×６（９００ｍｍ×１８００ｍｍ）、素材はＰＥＴボトル再生ポリエステル材であって、印刷可能な不織布により、平貼り（４方巻き込みなし）されており、現場でのカットが可能なものであって、音響性能として、周波数１６００Ｈｚ以上４０００Ｈｚ以下で吸音率が０．６以上となる特性を有するもの等を用いることができる。
【００２５】
本実施形態では、扉５、６として、例えば厚さ１２ｍｍ合板の表裏に、厚さ５ｍｍのＭＤＦを張り合わせた板材を用い、さらに、ブース状態にあるときに外側となる扉５、６の外側の面は表面をオレフィンシートにて加飾を行い、裏面（つまり作業用ブース１の内側の面）については、吸音材８としての東京防音株式会社製の厚さ７ｍｍのＰＥＴボトル再生ポリエステル材からなるホワイトキューオンの上にインクジェット方式により印刷を行った不織布をラミネートしている。
フェルトタイプの吸音材としては、例えば、ドリックス株式会社製のポリエステル製フェルト吸音材であるフェルメノンを適用することができる。
【００２６】
図４に、フェルメノンの残響室法吸音率試験の試験結果を示す。図４において、横軸は周波数（Ｈｚ）、縦軸は、吸音率である。図４に示すように、フェルメノンは周波数が１６００Ｈｚ以上８０００Ｈｚの範囲では、吸音率が０．６０以上となる特性を有している。
また、扉５、６を閉じたときの収納性を考慮して、テーブル板７、左扉５及び右扉６が各１枚、さらに背面板２、左扉５及び右扉６それぞれの内側に設けた３枚の吸音材８の和が、縦框部３の幅（例えば９０ｍｍ）に近いことが好ましいため、吸音材８は、１２ｍｍ程度以下が好ましい。
【００２７】
また、扉５、６のそれぞれの下部の、スライド蝶番５ａ、６ａとは逆側の端部近傍に、折り畳み式の脚を設け、この脚によっても扉５、６を支持するようにしてもよい。特に作業用ブース１を自宅で用いる場合等には、子供が扉５、６にぶら下がって遊ぶ可能性がある。扉５、６に脚を設けることにより、縦框部３からの扉５、６の脱落や、扉５、６のスライド蝶番５ａ、６ａからの脱落等が生じることを抑制することができる。
また、扉５、６それぞれのスライド蝶番５ａ、６ａ側の端部に、手の挟み込み防止のため、Ｒ加工等が施されていることが好ましい。
【００２８】
テーブル板７は、矩形状を有し、一辺が背面板２の本体２ａに回動可能に取り付けられている。テーブル板７は、例えば、図示しない折り畳み式棚受け金具により本体２ａの２箇所に取り付けられ、折り畳み式棚受け金具を開いたり、折り畳んだりすることによって、テーブル板７が、本体２ａとの接続部分を軸として上下方向に回動し、テーブル板７を本体２ａから水平に突出した使用状態又は本体２ａと重なる収納状態に維持するようになっている。なお、安全性を考慮して、テーブル板７の下面に、収納可能な脚を設け、この脚によってもテーブル板７を支えるようにしてもよい。
【００２９】
テーブル板７は、テレワークの作業性を考慮して、縦框部３の下端から７００ｍｍ以上の位置に取り付けられている。テーブル板７の奥行は、ノートパソコンの画面を傾ける事を考慮して最低３００ｍｍ以上、可能であれば、５００ｍｍに設定されることが好ましい。図１〜図３に示す作業用ブース１では、テーブル板７の取り付け位置は、テーブル板７の上面が、縦框部３の下端から７２０ｍｍとなる位置であり、テーブル板７は、奥行４５０ｍｍ、幅６５０ｍｍであり、１２ｍｍの合板の表裏に５ｍｍのＭＤＦを貼り合わせた板材からなる。
なお、テーブル板７は、縦框部３ａ、３ｂ間に設けてもよい。また、テーブル板７の裏面に、吸音材８を張り付けてもよい。
【００３０】
［利用方法］
このような構成を有する作業用ブース１は、図１及び図２に示すように、作業用ブース１を利用しないとき、つまりパネル状態とするには、折り畳み式棚受け金具を折り畳む。これにより、テーブル板７は本体２ａと重なる収納状態となる。また、扉５、６は、スライド蝶番５ａ、６ａにより縦框部３に取り付けられているため、左扉５を閉じ、次に右扉６を閉じることにより、左扉５は一対の縦框部３の間に収納され、右扉６は一対の縦框部３の本体２ａとは逆側の端面に沿った状態となる。その結果、作業用ブース１を側面からみると、一枚の板状の部材となる。また、左扉５を縦框部３の間に収納するようにしているためその分だけ、作業用ブース１の厚みをより薄くすることができる。
このように、作業用ブース１を利用しないときには、テーブル板７を折り畳み、パネル状態とすることによって、作業用ブース１の占有面積を小さくすることができ、壁に取り付けられた壁パネルとみなすことができ、邪魔にならないようにすることができる。
【００３１】
また、背面板２の本体２ａ自体をビス等で壁に固定することにより作業用ブース１を支持しているため、例えば縦框部３を天井との間で突っ張り固定するようにした場合に比較して、耐荷重性を向上させることができる。そのため、作業用ブース１に、取り付けられる荷重範囲を広げることができ、扉５、６やテーブル板７をより大きくすること、また、より多くの吸音材８を設けることができる。その結果、吸音性や、遮音性、プライバシー性の向上を図ることができる。また、特に天井の高い屋内で利用する場合、天井との間で突っ張り固定するようにした構成のブースでは、縦框部３と天井との間の比較的長い隙間を調整することの可能な調整部材を用いる必要があり、天井の高さによって設置場所が制限される可能性がある。本実施形態に係る作業用ブース１では、背面板２の本体２ａ自体をビス等で壁に固定しているため、設置場所が制限されることなく、汎用性がより高い。
【００３２】
また、作業用ブース１をブース状態とする場合には、図３に示すように、右扉６、左扉５をこの順に開き、テーブル板７を持ち上げて折り畳み式棚受け金具を開くことにより、テーブル板７は背面板２から略水平に突出した使用状態に維持される。
この状態で、利用者がテーブル板７に向かって椅子に着席すると、扉５、６は、利用者の両側に位置するため、利用者は扉５、６と、背面板２とにより三方を間仕切りで囲まれた状態となり、ブース内に存在することと同等となる。また、利用者の正面は背面板２であり、扉５、６は、その上端が、着席した利用者の目線よりも上に位置するように形成されている。そのため、ブース外の動き等が、利用者の視界に入ることを防止することができ、ブース外の動きが利用者に与える影響を抑制することができる。また、扉５、６、によって、ブース外の人から、利用者をある程度隠すことができるため、プライバシーを確保することができる。また、一対の縦框部３どうしの間で、扉５、６の幅をできるだけ大きくなるようにしているため、より一層、吸音性、遮音性の向上を図ると共に、プライバシーを確保することができる。
【００３３】
また、扉５、６及び背面板２の本体２ａには、作業用ブース１がブース状態にある時にブースの内側となる面に、吸音材８が設けられている。そのため、利用者が発する音が外部に漏れることを抑制することができ、逆に外部からの音を遮音することができる。そのため、作業用ブース１がブース状態にあるとき、利用者の後方は仕切りで囲まれていないが、利用者の話しにくさや聞き取りにくさを抑制することができる。
【００３４】
また、扉５、６は、スライド蝶番により縦框部３に取り付けられているため、スライド蝶番として脱着スイッチ付きのスライド蝶番５ａ、６ａを用いることによって、縦框部３から扉５、６を容易に取り外すことができる。また、背面板２はビス等により壁面に直接取り付けられ、縦框部３及び横框部４は、背面板２にビス等によって取り付けられている。そのため、作業用ブース１の組み立て及び解体を容易に行うことができ、搬入時等、作業用ブース１の移動を容易に行うことができる。
また、作業用ブース１を構成する縦框部３や横框部４を始めとする各部や、各種取り付け金具等は、一般に用いられている部材を採用している。そのため、安価に実現することができる。
【００３５】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【実施例】
【００３６】
本実施形態に係る作業用ブース１（実施例１）について、耐荷重性、仕事の集中度、吸音性、遮音性の４つの項目について、性別、年齢が異なる１０人の試験員による官能試験により評価した。
【００３７】
また、比較例１として、本実施形態に係る作業用ブース１（実施例１）において、背面板２を壁面にビス等で固定するのではなく、縦框部３の上端に、縦框部３と天井との間の隙間を調整するための調整部材を設け、縦框部３と天井との間の隙間を調整部材で調整することにより、縦框部３を突っ張り固定するようにした作業用ブースを用いた。調整部材として、例えば、平安伸銅工業株式会社製のラブリコシリーズの２×４アジャスタを用いた。
また、比較例２として、本実施形態に係る作業用ブース１（実施例１）において、左扉５及び右扉６を持たない作業用ブースを用いた。
【００３８】
また、比較例３として、本実施形態に係る作業用ブース１（実施例１）において、パネル状態にあるときにこれら扉５及び６が重なるのではなく、観音開き式の扉であって、扉５及び６の幅が、実施例１における扉５、６の幅Ｌの「１／２」（Ｌ／２）である作業用ブースを用いた。
さらに、比較例４として、本実施形態に係る作業用ブース１（実施例１）において、吸音材８を持たない作業用ブースを用いた。
【００３９】
これら実施例及び比較例１〜４について、それぞれの作業用ブース内で作業を行い、耐荷重性、仕事に集中できるか否か、吸音性が高いか否か、遮音性が高いか否かの４項目について、官能試験を行った。各試験員が各項目について４段階（１点〜４点）で評価し、項目毎に試験員の評価点の合計を求め、これを総合点とした。なお、評価が高いほど高い点数とした。各項目について総合点が３４点以上４０点以下の場合を「◎」、２８点以上３３点以下を「○」、２２点以上２７点以下を「△」、２１点以下を「×」とした。
【００４０】
その結果を、表１に示す。
【００４１】
【表１】
0006940018.tif 000002
【００４２】
表１から、本実施形態における作業用ブース１（実施例１）のように、本体２ａを壁にビス固定した場合は、扉５、６を備えるとき、また、扉５、６が、本体２ａの幅と同等程度の幅を有するときでも、耐荷重性があると評価され、また、作業の集中度、吸音性、遮音性について評価が高いことが確認された。一方、縦框部３と天井との間の隙間に調整部材を設け、床と天井との間で突っ張り固定する場合には、耐荷重性が多少低下するが、仕事の集中度、吸音性、遮音性は評価が高かった（比較例１）。
【００４３】
一方、本体２ａを壁にビス固定した状態で、扉５、６を備えていない場合は、耐荷重性があると評価されるが、扉がないため、仕事の集中度、吸音性、遮音性の評価は低い（比較例２）。
また、本体２ａを壁にビス固定した状態で、扉５、６が観音開き式に取り付けられている場合は、吸音材が設けられているため、吸音性、遮音性はある程度あるものの、仕事の集中度が多少低いと判定された（比較例３）。
これに対し、本体２ａを壁にビス固定した状態であり、本体２ａの幅と同等の幅を有する扉５、６が設けられている場合であっても、吸音材が取り付けられていない場合は、吸音性、遮音性が低下し、仕事の集中度の評価が多少低かった（比較例４）。
【符号の説明】
【００４４】
１  作業用ブース
２  背面板
２ａ  本体
３、３ａ、３ｂ  縦框部
４、４ａ、４ｂ  横框部
５  左扉
６  右扉
７  テーブル板
【要約】
【課題】占有面積が小さく耐荷重性を有する作業用ブースを提供する。
【解決手段】作業用ブース１は、矩形状の本体２ａと、本体２ａの左端側及び右端側それぞれに形成された一対の縦框部３とを備えた背面板２と、背面板２に上下方向に回動可能に取り付けられたテーブル板７と、縦框部３それぞれに個別に設けられ、縦框部３との接続部分を軸として前後方向に開閉可能な一対の扉５、６と、を備え、テーブル板７は、背面板２と重なる収納状態と背面板２から水平に突出した使用状態とに維持可能に背面板２に取り付けられ、テーブル板７を収納状態にして扉５、６を閉状態とするパネル状態と、テーブル板７を使用状態にして扉５、６を開状態とするブース状態とに切替可能であり、扉５、６は、ブース状態にあるときに、扉５、６によってテーブル板の前に存在する人が隠れる大きさを有し、背面板２の本体２ａが壁面に固定される。
【選択図】図１【図１】
0006940018.tif 000003
【図２】
0006940018.tif 000004
【図３】
0006940018.tif 000005
【図４】
0006940018.tif 000006